(57)【要約】【課題】ワンドア・ツーロックの施錠装置の使い勝手を向上させる。【解決手段】連動杆１１の前方の側端縁に形成された一対のデッドカム切欠１７、１７の一方の開口端縁である係合端縁１８、１８によりデッドカム５の第１係合ピン１６、１６を連動して押下げて一対の施解錠ユニット３、３を同時に施錠する。【選択図】  図６
2004169384.tif 000002
【特許請求の範囲】
【請求項１】
フロント板に垂直な前後方向に案内されたデッドボルトと、直接シリンダ錠の内筒に、クラッチを介してサムターンに夫々連結され、フロント板から前方に突出する施錠位置及び錠箱内に引込む解錠位置の何れかにデッドボルトを選択的に駆動するデッドカムとを夫々有する１対の施解錠ユニットを、１個の錠箱内に上下方向に沿って連設し、各デッドカムに近接してその後方に、上下方向に延在し、同方向に移動可能に案内された連動杆をデッドカムの一部と重合するように配設し、一方、連動杆と重合可能なデッドカムの外辺部に、デッドカムが施錠角度位置にあるとき連動杆から離間し、解錠角度位置にあるとき連動杆と干渉する係合ピンを連動杆に向けて突設し、デッドカムが解錠角度位置にあるときその係合ピンと干渉する連動杆の前方の側端縁の部分に、１対の係合ピンの夫々に対応して、１対の上下方向に長いデッドカム切欠を形成し、施解錠時係合ピンと係合するデッドカム切欠の上又は下の開口端縁を係合端縁に指定すると共に、一端部を連動杆の切欠の他方の開口端縁部に回動可能に支承された１対の制御レバーを設け、連動杆が解錠位置にあるとき、この制御レバーの他端縁と連動杆の切欠の係合端縁との間に係合ピンを挟み、連動杆が施錠位置にあり、デッドカムが解錠角度位置にあるとき、デッドカムの施錠方向の回動に対し制御レバーの他端部が後方に移動する方向に回動して係合ピンとの干渉を避けるようにしたことを特徴とする扉の施錠機構。
【請求項２】
フロント板に垂直な前後方向に案内されたデッドボルトと、シリンダ錠の内筒に連係され、フロント板から前方に突出する施錠位置及び錠箱内に引込む解錠位置の何れかにデッドボルトを選択的に駆動するデッドカムとを夫々有する１対の施解錠ユニットを、１個の錠箱内に上下方向に沿って連設すると共に、室内側のサムターンに連結されたサムターンカム、及び一対のデッドカムを上下方向に沿って配設し、各カムに近接してその後方に、上下方向に延在し、同方向に移動可能に案内された第１及び第２連動杆を相互に重合するように、かつ、デッドカム或いはサムターンカムの一部と重合するように配設し、一方、第１連動杆と重合可能なデッドカムの外辺部に、デッドカムが施錠角度位置にあるとき第１連動杆から離間し、解錠角度位置にあるとき第１連動杆と干渉する第１係合ピンを第１連動杆に向けて突設し、デッドカムが解錠角度位置にあるときその第１係合ピンと干渉する第１連動杆の前方の側端縁の部分に、１対の第１係合ピンの夫々に対応して、１対の上下方向に長いデッドカム切欠を形成し、施解錠時第１係合ピンと係合するデッドカム切欠の上又は下の開口端縁を係合端縁に指定すると共に、一端部を第１連動杆のデッドカム切欠の他方の開口端縁部に回動可能に支承された１対の制御レバーを設け、第１連動杆が解錠位置にあるとき、この制御レバーの他端縁と第１連動杆のデッドカム切欠の係合端縁との間に第１係合ピンを挟み、第１連動杆が施錠位置にあり、デッドカムが解錠角度位置にあるとき、デッドカムの施錠方向の回動に対し制御レバーの他端部が後方に移動する方向に回動して第１係合ピンとの干渉を避けるようにし、他方、第１連動杆と重合可能なサムターンカムの外辺部に、サムターンカムが施錠角度位置にあるとき第１連動杆から離間し、解錠角度位置にあるとき第１連動杆と干渉する第１サムターンピンを第１連動杆に向けて突設し、サムターンカムが解錠角度位置にあるときその第１サムターンピンと干渉する第１連動杆の前方の側端縁の部分に、上下方向に長い切りサムターン切欠を形成し、このサムターン切欠にデッドカム切欠におけると同じ態様で制御レバーを設け、以て解錠位置にある第１連動杆を、制御レバー及び第１サムターンピンとの係合を介して施錠方向に移動させ、第１及び第２デッドカムを同時に施錠方向に回動させることができるようにし、また、第２連動杆と重合可能なデッドカムの外辺部に、デッドカムが解錠角度位置にあるとき第２連動杆から離間し、施錠角度位置にあるとき第２連動杆と干渉する第２係合ピンを第２連動杆に向けて突設すると共に、第２連動杆の前方の側端縁に第２係合ピンの夫々に解錠方向から係合する一対の解錠段部を形成し、加えて、サムターンカムの第２連動杆と干渉する外辺部に第２サムターンピンを第２連動杆に向けて突設し、これに対応して、サムターンカムが解錠角度位置にあるとき第２サムターンピンと干渉する第２連動杆の部分に、第２サムターンピンを挟むようにして係合する作動切欠を形成したことを特徴とする扉の施錠機構。
【発明の詳細な説明】
【０００１】
【発明の属する技術分野】
この発明は、扉の施錠機構（以下単に施錠機構という）に係り、特に、所謂ピッキングを不可能にした新規な施錠装置の改良に関する。
【０００２】
【従来の技術】
従来、一つの扉に二つの施錠装置を装着した所謂ワンドア・ツーロックという施錠装置が実用されている。
【０００３】
このワンドア・ツーロックは、一つの扉の自由側端縁に鉛直方向に沿って二つの錠箱を装着したもので、各錠箱は、少なくとも、デッドボルト及びこれを操作するデッドカム装置、シリンダ錠及び室内側のサムターンを有し、通常、二つのシリンダ錠は一つの合鍵で施解錠する。
【０００４】
そして、このワンドア・ツーロック装置の存在理由は、ピッキングの操作を２倍にして、ピッキングを非常に困難にするためである。
【０００５】
シリンダ錠が２個装着されていると、犯罪者の心理的な限界時間である１個のシリンダ錠のピッキング時間が２倍になるので、犯罪者がピッキングの実行を躊躇し、その為ワンドア・ツーロックは防犯上安全な施錠装置であることが実証されている。
【０００６】
しかしながら、合鍵の正規の所有者にとっても施解錠操作が２倍になるので、しばしば面倒になり、外出時１個のシリンダ錠のみを施錠することが常態になると、折角のワンドア・ツーロックが通常の施錠装置と変らなくなってしまう。
【０００７】
そこで、本出願人等は、先に、例えば特願２０００−０６６６５２を以て、ワンドア・ツーロックの施錠時における操作性を向上させた扉の施錠装置を提案した。
【０００８】
この扉の施錠装置は、外出時、シツガイ側からワンドア・ツーロックの何れかのシリンダ錠を施錠すると、これに連動して他方のシリンダ錠も施錠されるものである。
【０００９】
【発明が解決しようとする課題】
しかしながら、上記特願２０００−０６６６５２によって提案された発明は、少し構造が複雑である、という恨みが残る。
【００１０】
また、施錠するときには一方のシリンダ錠のみを施錠すればよいが、室内側からサムターンを操作して解錠する場合には、両方のシリンダ錠を別個に解錠しなければならず、要するに操作が面倒である、という不都合がある。
【００１１】
そこで、請求項１に記載の発明は、上記特願２０００−０６６６５２によって提案された発明を改良し、簡単な構造の扉の施錠機構を提供することを目的としている。
【００１２】
また、請求項２に記載の発明は、２重にロックされたシリンダ錠を室外側から１個のサムターンで連動して解錠できるようにした扉の施錠機構を提供することを目的としている。
【００１３】
【課題を解決するための手段】
上記の目的を達成するため、請求項１に記載の発明は、フロント板に垂直な前後方向に案内されたデッドボルトと、直接シリンダ錠の内筒に、クラッチを介してサムターンに夫々連結され、フロント板から前方に突出する施錠位置及び錠箱内に引込む解錠位置の何れかにデッドボルトを選択的に駆動するデッドカムとを夫々有する１対の施解錠ユニットを、１個の錠箱内に上下方向に沿って連設し、各デッドカムに近接してその後方に、上下方向に延在し、同方向に移動可能に案内された連動杆をデッドカムの一部と重合するように配設し、一方、連動杆と重合可能なデッドカムの外辺部に、デッドカムが施錠角度位置にあるとき連動杆から離間し、解錠角度位置にあるとき連動杆と干渉する係合ピンを連動杆に向けて突設し、デッドカムが解錠角度位置にあるときその係合ピンと干渉する連動杆の前方の側端縁の部分に、１対の係合ピンの夫々に対応して、１対の上下方向に長いデッドカム切欠を形成し、施解錠時係合ピンと係合する切欠の上又は下の開口端縁を係合端縁に指定すると共に、一端部を連動杆の切欠の他方の開口端縁部に回動可能に支承された１対の制御レバーを設け、連動杆が解錠位置にあるとき、この制御レバーの他端縁と連動杆のデッドカム切欠の係合端縁との間に係合ピンを挟み、連動杆が施錠位置にあり、デッドカムが解錠角度位置にあるとき、デッドカムの施錠方向の回動に対し制御レバーの他端部が後方に移動する方向に回動して係合ピンとの干渉を避けるようにしたことを特徴とする。
【００１４】
また、請求項２に記載の発明は、フロント板に垂直な前後方向に案内されたデッドボルトと、シリンダ錠の内筒に連係され、フロント板から前方に突出する施錠位置及び錠箱内に引込む解錠位置の何れかにデッドボルトを選択的に駆動するデッドカムとを夫々有する１対の施解錠ユニットを、１個の錠箱内に上下方向に沿って連設すると共に、室内側のサムターンに連結されたサムターンカム、及び一対のデッドカムを上下方向に沿って配設し、各カムに近接してその後方に、上下方向に延在し、同方向に移動可能に案内された第１及び第２連動杆を相互に重合するように、かつ、デッドカム或いはサムターンカムの一部と重合するように配設し、一方、第１連動杆と重合可能なデッドカムの外辺部に、デッドカムが施錠角度位置にあるとき第１連動杆から離間し、解錠角度位置にあるとき第１連動杆と干渉する第１係合ピンを第１連動杆に向けて突設し、デッドカムが解錠角度位置にあるときその第１係合ピンと干渉する第１連動杆の前方の側端縁の部分に、１対の第１係合ピンの夫々に対応して、１対の上下方向に長いデッドカム切欠を形成し、施解錠時第１係合ピンと係合するデッドカム切欠の上又は下の開口端縁を係合端縁に指定すると共に、一端部を第１連動杆のデッドカム切欠の他方の開口端縁部に回動可能に支承された１対の制御レバーを設け、第１連動杆が解錠位置にあるとき、この制御レバーの他端縁と第１連動杆のデッドカム切欠の係合端縁との間に第１係合ピンを挟み、第１連動杆が施錠位置にあり、デッドカムが解錠角度位置にあるとき、デッドカムの施錠方向の回動に対し制御レバーの他端部が後方に移動する方向に回動して第１係合ピンとの干渉を避けるようにし、他方、第１連動杆と重合可能なサムターンカムの外辺部に、サムターンカムが施錠角度位置にあるとき第１連動杆から離間し、解錠角度位置にあるとき第１連動杆と干渉する第１サムターンピンを第１連動杆に向けて突設し、サムターンカムが解錠角度位置にあるときその第１サムターンピンと干渉する第１連動杆の前方の側端縁の部分に、上下方向に長い切りサムターン切欠を形成し、このサムターン切欠にデッドカム切欠におけると同じ態様で制御レバーを設け、以て解錠位置にある第１連動杆を、制御レバー及び第１サムターンピンとの係合を介して施錠方向に移動させ、第１及び第２デッドカムを同時に施錠方向に回動させることができるようにし、また、第２連動杆と重合可能なデッドカムの外辺部に、デッドカムが解錠角度位置にあるとき第２連動杆から離間し、施錠角度位置にあるとき第２連動杆と干渉する第２係合ピンを第２連動杆に向けて突設すると共に、第２連動杆の前方の側端縁に第２係合ピンの夫々に解錠方向から係合する一対の解錠段部を形成し、加えて、サムターンカムの第２連動杆と干渉する外辺部に第２サムターンピンを第２連動杆に向けて突設し、これに対応して、サムターンカムが解錠角度位置にあるとき第２サムターンピンと干渉する第２連動杆の部分に、第２サムターンピンを挟むようにして係合する作動切欠を形成したことを特徴とする。
【００１５】
【実施例】
以下、この発明の実施例を図面を参照して説明する。なお、説明の都合上請求項２に記載された発明について説明する。それは、請求項１に記載の発明は、請求項２に記載の発明に内包されるからである。
【００１６】
図１において符号１は錠箱を示し、この錠箱１は、フロント板２を扉の自由側端縁と同一面にして扉の自由側端縁部に埋設される。
【００１７】
この錠箱１内には、１対の施解錠ユニット３、３が上下方向に沿って連設されている。
【００１８】
各施解錠ユニット３は、少なくとも、デッドボルト４とデッドカム５とを備え、その内デッドボルト４は、図示を省略する案内機構によってフロント板に垂直な前後方向（図で左右方向）に移動可能に案内されている。
【００１９】
また、デッドカム５は、図示を省略するシリンダ錠の内筒に連係され、デッドボルト４をフロント板２から前方に突出した施錠位置と、錠箱１内に引込む解錠位置（図１参照）の何れかに選択的に駆動する。
【００２０】
なお、図示の実施例では、下方のデッドカム５はその外周に突設されたアーム６をデッドボルトに形成された切欠７に係合させ、デッドカム５の時計方向の回動によりデッドボルトを突出させて施錠する。
【００２１】
一方、上方のデッドカム５は、その外周部に形成された歯車を扇形ギア８に伝達し、この扇形ギアに形成された付番しない作動アームを介してデッドボルト４を駆動するように形成されている。
【００２２】
上記下方のデッドカム５も、その時計方向の回動によりデッドボルトを突出させて施錠する。
【００２３】
なお、図示の実施例では各デッドカム５を直接シリンダ錠の内筒に連結するものとしたが、上記特願２０００−０６６６５２の明細書の実施例のように、他の部材を介してシリンダ錠に連結するようにしてもよい。
【００２４】
しかしながら、請求項１に記載の発明においては、デッドカム５のシリンダ錠の内筒を直結することが必要条件で、このようにすることにより扉の施錠機構をコンパクト、かつ簡単にすることができる。
【００２５】
また、請求項１に記載の発明においては、各デッドカム５はクラッチを介して夫々サムターンに連結されることは言うまでもない。
【００２６】
一方、図１及び図２において符号９はサムターンカムを示し、このサムターンカム９は扉の自由側端縁部内面に設けられたサムターンに直結されている。なお、請求項１に記載の発明、或いは前記特願２０００−０６６６５２に記載された発明と異なり、請求項２に記載の発明においては、室内側のサムターンは一つだけである。
【００２７】
これ等サムターンカム、及び一対のデッドカム５、５は、図１及び図２に示すように、錠箱１の後方において上下方向に連設され、夫々錠箱の側板に平行な平面内で回動できるように案内されている。
【００２８】
また、各カムに近接してその後方に、上下方向に延在し、同方向に移動可能に案内された第１及び第２連動杆１１、１２が相互に重合するように、かつ、デッドカム５、５及びサムターンカム９の一部と重合するように配設されている。
【００２９】
上記第１連動杆１１は、図３及び図４に示すように、細長い板状体で前方（図で左方）の側端縁に３ヵ所の切欠を形成した連動板１１ａの一対を、図示しない短い支柱で相互間に隙間を保つようにして一体に結合した杆体で、その長さ方向における中央部の２ヵ所をガイドピン１３、１３によって上下方向に摺動可能に案内されている。
【００３０】
一方、第２連動杆１２は、図５に示すように連動板１１ａとほぼ同じ長さ、同じ幅の板状体で、その前方の側端縁に４ヵ所の切欠が形成されており、また、第１連動杆１１と同様に、同じガイドピン１３、１３によって上下方向に摺動可能に案内されている。
【００３１】
なお、上記第１及び第２連動杆１１、１２は、図２及び図３に示すように、相互に接合しかつ重合するように配設されているが、図面を明瞭にするため、図５においてはこれ等の連動杆１１、１２を展開して示している。これ等が展開されて示されている他の図においても同様である。
【００３２】
また、図２において下方に示されているデッドカム５は、図３に示すように、３枚の蛇の目状のカム板１４、１４、１４を結合ピン１５、１５によって同軸かつ相互に積層してなる。
【００３３】
そして、第１連動杆１１と重合可能なデッドカム５の外辺部には、デッドカム５が図７に示すように施錠角度位置にあるとき第１連動杆１１から離間し、図２に示すように解錠角度位置にあるとき第１連動杆１１と干渉する第１係合ピン１６が第１連動杆１１に向けて突設されている。
【００３４】
図示の実施例では、図３で一番上のカム板１４の第１連動杆１１と重合する外辺部下面に第１係合ピン１６が下向きに突設されている。これは図２で中央に示されているデッドカム５においても同様である。
【００３５】
また、デッドカム５が図２に示すように解錠角度位置にあるとき、その第１係合ピン１６と干渉する第１連動杆１１の前方の側端縁の部分に、１対の第１係合ピンの夫々に対応して、図４に示すように１対の上下方向に長いデッドカム切欠１７、１７が形成されており、上記第１係合ピン１６はこのデッドカム切欠１７と係合する。
【００３６】
そして、各デッドカム切欠１７の、施解錠時第１係合ピン１６と係合する一方の開口端縁（図４に示す実施例では上方の開口端縁）が係合端縁１８として指定されている。
【００３７】
一方、デッドカム切欠１７の図４における下方、すなわち、デッドカム切欠の他方の開口端縁部には、一端部を当該他方の開口端縁部に回動可能に支承された制御レバー１９が設けられている。
【００３８】
図示の実施例では、この制御レバー１９は板材を断面細長いコ字形で（図３参照）、全体の形状がＬ字形の部材（図４参照）である。
【００３９】
各制御レバー１９は、夫々その一端部（屈曲部）を回動可能に支承されると共に、図示しないばねにより図４で半時計方向に付勢されているが、外力が作用しない常態においては、図４で最下段の制御レバーのようにストッパーピン２０に係止され、直立した角度位置を保つ。
【００４０】
しかしながら、後述するように第１係合ピン１６に押動されると、図４で中段の制御レバーのように時計方向に回動して係合ピンとの干渉を避ける。
【００４１】
他方、第１連動杆１１と重合可能な前記サムターンカム９（図２参照）の外辺部に、サムターンカムが施錠角度位置にあるとき第１連動杆１１から離間し（図７参照）、解錠角度位置にあるとき第１連動杆１１と干渉する（図２参照）第１サムターンピン２１が第１連動杆１１に向けて突設されている。
【００４２】
具体的には、図３に示すデッドカムと同様の構成であるから、更に詳細な説明は省略する。
【００４３】
また、図２及び図４に示すように、サムターンカム９が解錠角度位置にあるときその第１サムターンピン２１と干渉する第１連動杆１１の前方の側端縁の部分に、上下方向に長いサムターン切欠２２（図４参照）が形成されている。
【００４４】
そして、このサムターン切欠２２の図４における下方には、前記デッドカム切欠におけると同様の態様で制御レバー１９が設けられており、後述するように、サムターンカム９の第１サムターンピン２１は、この制御レバー１９の自由端縁（図４における制御レバーの上端）と係合する。
【００４５】
なお、サムターン切欠２２においては、図４に示すように、デッドカム切欠１７における係合端縁１８は形成されておらず、このサムターン切欠２２における係合端縁に相当する構成は、後述するように第２連動杆１２に形成されている。
【００４６】
また、図２及び図３に示すように、第２連動杆１２と重合可能なデッドカムの外辺部に、デッドカム５が解錠角度位置にあるとき第２連動杆１２から離間し、図７に示すようにデッドカム５が施錠角度位置にあるとき第２連動杆１２と干渉する第２係合ピン２３が第２連動杆に向けて突設されている。
【００４７】
具体的には、図３に示すように、下から２番目のカム板１４の外辺部の所定の角度位置に、第２係合ピン２３が下向きに突設されている。
【００４８】
ちなみに、図３において最下段のカム板１４はスペーサーとなっており、その上のカム板、すなわち上記第２係合ピン２３を担持しているカム板の外周縁の所定の角度位置に、前記アーム６（図１参照）が突設されているものとする。
【００４９】
更にまた、図５に示すように、第２連動杆１２の前方の側端縁に、第２係合ピン２３、２３の夫々に解錠方向（図５で下方）から係合する一対の解錠段部２４、２４が形成されている。
【００５０】
そして、図７に示すようにデッドカム５が施錠角度位置にあるとき、その第２係合ピンがこの解錠段部２４と係合する。
【００５１】
加えて、サムターンカム９の第２連動杆１２と干渉する外辺部に、第２サムターンピン２５が第２連動杆１２に向けて突設されている。
【００５２】
この第２サムターンピン２５のサムターンカム９における結合の態様は、前記デッドカム５における第２係合ピン２３のそれと同様であるから（図３参照）、更に詳細な説明は省略する。
【００５３】
また、これに対応して、サムターンカムが解錠角度位置にあるとき（図２及び図５参照）第２サムターンピン２５と干渉する第２連動杆１２の部分に、第２サムターンピン２５を挟むようにしてこれと係合する作動切欠２６が形成されている。
【００５４】
ちなみに、この作動切欠２６の上方の端縁がデッドカム切欠１７の係合端縁１８に、下方の端縁が制御レバー１９の自由端縁に相当する。
【００５５】
上記のように構成された請求項２に記載の扉の施解錠機構は次のように作用する。なお、説明の都合上図５に示す解錠状態から出発して説明する。
【００５６】
ちなみに、図５に示す第１及び第２連動杆１１、１２は図２に示すように重合しているが、図面を明瞭にするため図５のようにこれらの連動杆１１、１２を展開して示し、また、サムターンカム９は第１連動杆１１にも、また第２連動杆１２にも係合するのだが、図では第２連動杆１２に関連させて示してある。これは他の図においても同様である。
【００５７】
更にまた、請求項２に記載の発明においては、サムターンは室内側に１個だけ設けられており、加えて、請求項１及び請求項２に記載の発明に共通して、扉外面におけるシリンダ錠の鍵穴は上下方向に２個ある。
【００５８】
図５の解錠状態では、１対のデッドカム５、５及びサムターンカム９共、夫々設定された回動範囲において、最大限反時計方向に回動した角度位置にある。
【００５９】
例えば外出のため室外側から施錠する場合には、請求項１に記載の発明においても、また、請求項２に記載の発明においても、２つのシリンダの何れか一方を合鍵により施錠方向に作動させればよい。
【００６０】
例えば扉外面上方の鍵穴に合鍵を挿入し、これを施錠方向に回動させると、図６に示すように、それまでデッドカム切欠の係合端縁１８に当接していた上方のデッドカム５の第１係合ピン１６が、係合端縁１８の下方の隙間を遊動し、制御レバー１９の自由端縁に当接するに致る。
【００６１】
この状態から更に合鍵を施錠方向に回すと、上方のデッドカムの第１係合ピン１６が制御レバー１９を下方に押動するので、第１連動杆１１も一体的に下方に押動される。
【００６２】
そのため、第１連動杆の下方の係合端縁１８が下方のデッドカムの第１係合ピン１６を下方に押動するから、上下一対のデッドカム５、５が連動して施錠方向に回動し始める。
【００６３】
その回動の初期において、各デッドカム５の第２係合ピン２３、２３が第２連動杆１２の開錠段部２４（図５参照）に当接し、第１連動杆１２の下降に僅か遅れて第２連動杆１２も下方に移動する。
【００６４】
すると、第２連動杆１２の下降に伴い、その作動切欠２６（図５参照）がサムターンカム９の第２サムターンピン２５を下方に押動するから、結局、上方のデッドカム５を駆動部材として、下方のデッドカム５及びサムターンカム９が従動して時計方向に回動し、第１及び第２連動杆１１、１２が下方に移動する。
【００６５】
そして、図７に示すように、一対のデッドカム５、５、サムターンカム９は設定された回動範囲内で最大限時計方向に回動した角度位置に致り、一対のシリンダ錠は施錠されると共に、第１及び第２連動杆１１、１２は共に施錠位置に迄下降する。
【００６６】
すなわち、外出時には二つのシリンダ錠の内の何れか一方を施錠すれば、他のシリンダ錠はこれに連動して自動的に施錠でき、すなわち、二つのシリンダ錠をワンタッチで同時に施錠できる。
【００６７】
なお、図示の機構は結局カム装置を構成するが、例えば第１係合ピン１６による第１及び第２連動杆のストロークが足りない場合、図６及び図７に示すように公知の思案ばね２７を設け、ストロークの足りない部分を補うを可とする。これは、回転するデッドカム５、５及びサムターンカム９においても同様である。
【００６８】
或いは、各部材の形状寸法を適切に設定して、これらの機構を確動カム機構としてもよい。
【００６９】
帰宅して解錠する場合には、結論を先に言えば、二つのシリンダ錠を夫々別個に解錠しなければならず、そのため所謂ピッキングが非常に困難になって錠前の安全性が向上する。
【００７０】
すなわち、図７に示すように二つのシリンダ錠の両施錠の状態から例えば下方のシリンダ錠に合鍵を挿入してこれを図で反時計方向、砂和は解錠方向に回動したとする。
【００７１】
すると、図７で下方のデッドカム５の第１係合ピン１６が反時計方向に回動し、下方のデッドカム切欠１７の係合端縁１８に係合して第１連動杆１１を上方に押上げる。
【００７２】
このとき、図７から明らかなように、上方のデッドカム切欠１７の制御レバー１９は上方のデッドカムの第１係合ピンと離間しているから、下方のデッドカムは単独で解錠方向に回動すると共に、これと係合する第１連動杆１１を上方に押上げ、図８に示す半解錠状態に致る。
【００７３】
このときには、図８に示すように、下方のデッドカムの第２係合ピン２３は第２連動杆１２と干渉することなく反時計方向に回動して図示の位置に致るから、第２連動杆１２は下降した位置を保つ。
【００７４】
次いで、上方のシリンダ錠の鍵穴に合鍵を挿入してこれを解錠方向に回すと、上方のデッドカム５の第１係合ピン１６は上方の制御レバー１９を図４に示すように倒しつつ反時計方向に回動し、図９に示すような角度位置に致る。
【００７５】
すなわち、上方のデッドカム５は第１及び第２連動杆１１、１２と干渉することなく独立して反時計方向に回動することができ、上方のシリンダ錠が解錠される。
【００７６】
上記一対のデッドカムによる施解錠操作は、請求項１に記載の発明と同様である。
【００７７】
一方、請求項２に記載の発明においては、図９に示す状態、すなわち、デッドカム５、５が解錠され、サムターンカム９が施錠角度位置にある状態において、サムターンカム９を室内側から反時計方向に回すと、その第２サムターンピン２５が第２連動杆１２の係合端縁と係合し、第２連動杆１２を押上げて図５に示す状態に戻る。
【００７８】
このとき、サムターンカム９の第１サムターンピン２１が第１連動杆１１のサムターン切欠２２内で反時計方向に回動するが、このときにはサムターン切欠２２内の制御レバーを図４に示すように押し倒しつつ回動するから、サムターンカムが第１連動杆と干渉することはない。
【００７９】
一方、請求項２に記載の発明において、図５に示すように解錠して屋内に入り室内側から施錠するときには、サムターンカム９を図５で時計方向に回動する。
【００８０】
すると、サムターンカム９の第１サムターンピン２１が、第１連動杆のサムターン切欠２２における制御レバー１９の自由端縁に当接し、この制御レバー１９を介して第１連動杆１１を下方に押動する。
【００８１】
従って、この第１連動杆のデッドカム切欠における係合端縁１８が夫々上下のデッドカム５を施錠方向に回動させる。
【００８２】
同時に、サムターンカム９の第２係合ピンと第２連動杆の作動切欠２２との係合を介して、他性２連動ピンも施錠方向である下方に押動され、図７に示すように施錠される。
【００８３】
他方、外出のため室内側からシリンダ錠を解錠して屋外にでるには、図７に示す施錠状態において室内側からサムターンカム９を解錠方向、すなわち反時計方向に回す。
【００８４】
すると、図７から明らかなように、サムターンカムの第２サムターンピン２５と作動切欠２６との係合により、サムターンカム９の反時計方向の回動に伴って第２連動杆１２が上方に押動される。
【００８５】
この押動に伴い、第２連動杆の解錠段部２４が夫々デッドカムの第２係合ピン２３を反時計方向に回動させるから、上下のデッドカムは夫々解錠方向に回動され、途中からデッドカム切欠における制御レバー１９の自由端縁がデッドカムの第１係合ピン１６を押上げる態様でデッドカム５を解錠方向に回動させ、図５に示す解錠状態に戻る。
【００８６】
このとき、デッドカムの第１係合ピン１６がデッドカム切欠の係合端縁１８と当接させるようにするには、各デッドカム５に前記した思案ばね装置を組込む。
【００８７】
【発明の効果】
以上の説明から明らかなように、請求項１及び２に記載の発明は、連動杆に形成された一対の係合端縁により一対のデッドカムを同時に施錠方向に回動させることができるから、一方の施解錠ユニットの施錠方向の作動により他方の施解錠ユニットを同時に施錠することができ、施解錠装置の使い勝手が向上する。
【００８８】
また、一方の施解錠ユニットを解錠するときには、他方の施解錠ユニットの係合ピンの連動杆との係合を解いた状態で連動杆を移動させるので、解錠は従来通り施解錠ユニットごとに独立して行うことができ、施解錠装置の安全性を損うことはない。
【００８９】
更にまた、請求項２に記載の発明は、サムターンカムに連係される第２連動杆、及び一対のデッドカムに連係される第１連動杆を介してサムターンをデッドカムに連係させるようにしたので、上記請求項１に記載の効果に加えて、室内側からのサムターンの操作により、一対の施解錠ユニットを連動して同時に施解錠することができる、等種々の効果を奏する。
【図面の簡単な説明】
【図１】請求項２に記載の発明の一実施例による施錠機構を組込んだ錠箱の側面図。
【図２】請求項２に記載の発明の一実施例による施錠機構の正面図。
【図３】請求項２に記載の発明の一実施例による施錠機構の底面図。
【図４】第１連動杆の正面図。
【図５】請求項２に記載の発明の一実施例による施錠機構の部材を展開して示す正面図で、一対のデッドカムが解錠角度位置にある状態を示す。
【図６】請求項２に記載の発明の一実施例による施錠機構の部材を展開して示す正面図で、上方のデッドカムを施錠のため回動し始めた状態を示す。
【図７】請求項２に記載の発明の一実施例による施錠機構の部材を展開して示す正面図で、上方のデッドカムを施錠角度位置にまで駆動した状態を示す。
【図８】請求項２に記載の発明の一実施例による施錠機構の部材を展開して示す正面図で、一対のデッドカムを施錠角度位置にまで駆動した状態を示す。
【図９】請求項２に記載の発明の一実施例による施錠機構の部材を展開して示す正面図で、一対のデッドカムを施錠角度位置に駆動しかつ第２連動杆を解錠状態に戻した状態を示す。
【符号の説明】
１  錠箱
２  フロント板
３  施解錠ユニット
４  デッドボルト
５  デッドカム
６  アーム
９  サムターンカム
１１  第１連動杆
１２  第２連動杆
１６  第１係合ピン
１７  デッドカム切欠
１８  係合端縁
１９  制御レバー
２１  第１サムターンピン
２２  サムターン切欠
２３  第２係合ピン
２４  解錠段部
２５  第２サムターンピン
２６  作動切欠
２７  思案ばね
【図１】
2004169384.tif 000003
【図２】
2004169384.tif 000004
【図３】
2004169384.tif 000005
【図４】
2004169384.tif 000006
【図５】
2004169384.tif 000007
【図６】
2004169384.tif 000008
【図７】
2004169384.tif 000009
【図８】
2004169384.tif 000010
【図９】
2004169384.tif 000011